(57)【特許請求の範囲】
【請求項１】
画素における現在の色域モードを取得するステップと、
予め設定された色域モードにおける前記画素の青色成分を取得するために、前記画素における現在の色域モードを前記予め設定された色域モードに変換するステップと、
前記予め設定された色域モードにおける前記画素の青色成分に対して弱化制御を行うステップと、を備え、
前記予め設定された色域モードにおける前記画素の青色成分を取得するために、前記画素における前記現在の色域モードを前記予め設定された色域モードに変換する前記ステップは、前記予め設定された色域モードにおける前記画素の青色成分を取得するために、予め設定された式にしたがって、前記現在の色域モードにおける前記画素の青色成分に対して非リニア補正を行うステップを含み、
前記予め設定された式は、
ＣｌＢが第１設定値よりも大きければ、ＣｓＢ＝（１＋ａ）・ＣｌＢ１／ｘ；および
ＣｌＢが前記第１設定値以下であれば、ＣｓＢ＝ｂ・ＣｌＢ；を含み、
ここで、ＣｌＢは、前記現在の色域モードにおける前記画素の青色成分であり、０≦ＣｌＢ≦１であって；
ＣｓＢは、前記予め設定された色域モードにおける前記画素の青色成分であり、０≦ＣｓＢ≦１であって；
ａは第１設定非リニア補正値であり、ｂは第２設定非リニア補正値であり；
ｘは、前記非リニア補正における第１ガンマ値であり、
前記予め設定された色域モードにおける前記画素の青色成分に対して弱化制御を行う前記ステップは、前記予め設定された色域モードにおける前記画素の青色成分ＣｓＢが、前記第１設定値よりも大きければ、前記第１設定非リニア補正値ａを略ゼロとし、前記式ＣｓＢ＝（１＋ａ）・ＣｌＢ１／ｘにしたがってＣｓＢの再補正を行うステップを含む、色彩調整方法。
【請求項２】
前記予め設定された色域モードにおける前記画素の赤色成分および緑色成分を取得するために、予め設定された式にしたがって、前記現在の色域モードにおける前記画素の赤色成分および緑色成分のそれぞれに対して非リニア補正を行うステップをさらに含み、
前記予め設定された式は、
ＣｌＲＧが前記第１設定値よりも大きければ、ＣｓＲＧ＝（１＋ａ’）・ＣｌＲＧ１／ｙ；および
ＣｌＲＧが前記第１設定値以下であれば、ＣｓＲＧ＝ｂ’・ＣｌＲＧ；を含み、
ここで、ＣｌＲＧは、前記現在の色域モードにおける前記画素の赤色成分または緑色成分であり、０≦ＣｌＲＧ≦１であって；
ＣｓＲＧは、前記予め設定された色域モードにおける前記画素の赤色成分または緑色成分であり、０≦ＣｓＲＧ≦１であって；
ａ’は第３設定非リニア補正値であり、ｂ’は第４設定非リニア補正値であり；
ｙは、前記非リニア補正における第２ガンマ値であり、ｙ＜ｘである、請求項１に記載の色彩調整方法。
【請求項３】
前記画素における３原色に対するマッピングパラメータを取得するステップと、
前記マッピングパラメータにしたがって、前記画素の前記３原色を新たな３原色にマッピングするステップと、
前記新たな３原色によって画像を画面に表示するステップと、を含む、請求項１または請求項２に記載の色彩調整方法。
【請求項４】
画素における現在の色域モードを取得する第１取得モジュールと、
予め設定された色域モードにおける前記画素の青色成分を取得するように、前記画素における前記現在の色域モードを前記予め設定された色域モードに変換する変換モジュールと、
前記予め設定された色域モードにおける前記画素の青色成分に対して弱化制御を行う制御モジュールと、を備え、
前記変換モジュールは、前記予め設定された色域モードにおける前記画素の青色成分を取得するように、予め設定された式にしたがって、前記現在の色域モードにおける前記画素の青色成分に対して非リニア補正を行う第１補正サブモジュールを備え、
前記予め設定された式は、
ＣｌＢが第１設定値よりも大きければ、ＣｓＢ＝（１＋ａ）・ＣｌＢ１／ｘ；および
ＣｌＢが前記第１設定値以下であれば、ＣｓＢ＝ｂ・ＣｌＢ；を含み、
ここで、ＣｌＢは、前記現在の色域モードにおける前記画素の青色成分であり、０≦ＣｌＢ≦１であって；
ＣｓＢは、前記予め設定された色域モードにおける前記画素の青色成分であり、０≦ＣｓＢ≦１であって；
ａは第１設定非リニア補正値であり、ｂは第２設定非リニア補正値であり；
ｘは、前記非リニア補正における第１ガンマ値であり、
前記制御モジュールは、前記予め設定された色域モードにおいて前記画素の青色成分ＣｓＢが、前記第１設定値よりも大きければ、前記第１設定非リニア補正値ａを略ゼロとすし、前記式ＣｓＢ＝（１＋ａ）・ＣｌＢ１／ｘにしたがってＣｓＢの再補正を行う、色彩調整装置。
【請求項５】
前記変換モジュールは、前記予め設定された色域モードにおける前記画素の赤色成分および緑色成分を取得するように、予め設定された式にしたがって、前記現在の色域モードにおける前記画素の赤色成分および緑色成分のそれぞれに対して非リニア補正を行う第２補正サブモジュールを備え、
前記予め設定された式は、
ＣｌＲＧが前記第１設定値よりも大きければ、ＣｓＲＧ＝（１＋ａ’）・ＣｌＲＧ１／ｙ；および
ＣｌＲＧが前記第１設定値以下であれば、ＣｓＲＧ＝ｂ’・ＣｌＲＧ；を含み、
ここで、ＣｌＲＧは、前記現在の色域モードにおける前記画素の赤色成分または緑色成分であり、０≦ＣｌＲＧ≦１であって；
ＣｓＲＧは、前記予め設定された色域モードにおける前記画素の赤色成分または緑色成分であり、０≦ＣｓＲＧ≦１であって；
ａ’は第３設定非リニア補正値であり、ｂ’は第４設定非リニア補正値であり；
ｙは、前記非リニア補正における第２ガンマ値であり、ｙ＜ｘである、請求項４に記載の色彩調整装置。
【請求項６】
前記画素の３原色に対するマッピングパラメータを取得する第２取得モジュールと、
前記マッピングパラメータにしたがって、前記画素における現在の３原色を新たな３原色にマッピングするマッピングモジュールと、
前記新たな３原色によって画像を画面に表示する表示モジュールと、を備える、請求項４または請求項５に記載の色彩調整装置。
【請求項７】
コンピュータ上で実行された際に、請求項１から３のいずれか１つに記載の色彩調整方法を前記コンピュータに実行させる、コンピュータプログラム。
【請求項８】
請求項７に記載のコンピュータプログラムが記憶されたコンピュータ読み取り可能媒体。
【発明の詳細な説明】
【技術分野】
【０００１】
（関連出願の相互参照）
本出願は、２０１５年１月１３日に中華人民共和国国家知識産権局に出願された中国特許出願：出願番号２０１５１００１７０５４．３、および２０１５年１月５日に中華人民共和国国家知識産権局に出願された中国特許出願：出願番号２０１５１０００４９１５．４に基づいて優先権を主張するものであり、その中国特許出願の全内容が参照により本願明細書に援用される。
【０００２】
本開示は、光技術に関し、より具体的には、色彩調整方法、色彩調整装置、および液晶ディスプレイに関する。
【背景技術】
【０００３】
液晶ディスプレイは、２枚の平行板の間に液晶材料を充填し、電圧をかけることによって液晶材料中の分子の並び方を変えることによって画像を表示する。これによって、シェーディングと伝送とが行われ、様々な色調でアレンジされた画像を表示できる。スクリーンの光源は、ＬＥＤ（発光ダイオード）チューブから発せられた白色光である。白色光は、様々な波長を有する可視光線により構成される。可視光線（人の眼の共通機能によるものであり、３８０−７８０ｎｍ）は、電子波で満たされた空間内で人の眼によって感知することができるほんのわずかの電磁スペクトルである。長時間液晶ディスプレイを見続けていると、人の眼には疲れやダメージが生じ、特に青色光または紫外線によって生じやすい。
【発明の概要】
【０００４】
本開示は、色彩調整方法、色彩調整装置、および液晶ディスプレイを提供する。
【０００５】
本開示の第１態様によれば、
画素における現在の色域モードを取得するステップと、
予め設定された色域モードにおける前記画素の青色成分を取得するために、前記画素における現在の色域モードを前記予め設定された色域モードに変換するステップと、
前記予め設定された色域モードにおける前記画素の青色成分に対して弱化制御を行うステップと、を備える、色彩調整方法を提供する。
【０００６】
また、前記予め設定された色域モードにおける前記画素の青色成分を取得するために、前記画素における前記現在の色域モードを前記予め設定された色域モードに変換する前記ステップは、前記予め設定された色域モードにおける前記画素の青色成分を取得するために、予め設定された式にしたがって、前記現在の色域モードにおける前記画素の青色成分に対して非リニア補正を行うステップを含み、
前記予め設定された式は、
ＣｌＢが第１設定値よりも大きければ、ＣｓＢ＝（１＋ａ）・ＣｌＢ１／ｘ；および
ＣｌＢが前記第１設定値以下であれば、ＣｓＢ＝ｂ・ＣｌＢ；を含み、
ここで、ＣｌＢは、前記現在の色域モードにおける前記画素の青色成分であり、０≦ＣｌＢ≦１であって；
ＣｓＢは、前記予め設定された色域モードにおける前記画素の青色成分であり、０≦ＣｓＢ≦１であって；
ａは第１設定非リニア補正値であり、ｂは第２設定非リニア補正値であり；
ｘは、前記非リニア補正における第１ガンマ値である、としてもよい。
【０００７】
また、前記予め設定された色域モードにおける前記画素の青色成分に対して弱化制御を行う前記ステップは、前記予め設定された色域モードにおける前記画素の青色成分ＣｓＢが、前記第１設定値よりも大きければ、前記第１設定非リニア補正値ａを略ゼロとするステップを含んでもよい。
【０００８】
また、前記予め設定された色域モードにおける前記画素の赤色成分および緑色成分を取得するために、予め設定された式にしたがって、前記現在の色域モードにおける前記画素の赤色成分および緑色成分のそれぞれに対して非リニア補正を行うステップをさらに含み、
前記予め設定された式は、
ＣｌＲＧが前記第１設定値よりも大きければ、ＣｓＲＧ＝（１＋ａ’）・ＣｌＲＧ１／ｙ；および
ＣｌＲＧが前記第１設定値以下であれば、ＣｓＲＧ＝ｂ’・ＣｌＲＧ；を含み、
ここで、ＣｌＲＧは、前記現在の色域モードにおける前記画素の赤色成分または緑色成分であり、０≦ＣｌＲＧ≦１であって；
ＣｓＲＧは、前記予め設定された色域モードにおける前記画素の赤色成分または緑色成分であり、０≦ＣｓＲＧ≦１であって；
ａ’は第３設定非リニア補正値であり、ｂ’は第４設定非リニア補正値であり；
ｙは、前記非リニア補正における第２ガンマ値であり、ｙ＜ｘである、としてもよい。
【０００９】
また、前記画素における３原色に対するマッピングパラメータを取得するステップと、
前記マッピングパラメータにしたがって、前記画素の前記３原色を新たな３原色にマッピングするステップと、
前記新たな３原色によって画像を画面に表示するステップと、を含んでもよい。
【００１０】
本開示の第２態様によれば、
画素における現在の色域モードを取得する第１取得モジュールと、
予め設定された色域モードにおける前記画素の青色成分を取得するように、前記画素における前記現在の色域モードを前記予め設定された色域モードに変換する変換モジュールと、
前記予め設定された色域モードにおける前記画素の青色成分に対して弱化制御を行う制御モジュールと、を備える、色彩調整装置を提供する。
【００１１】
また、前記変換モジュールは、前記予め設定された色域モードにおける前記画素の青色成分を取得するように、予め設定された式にしたがって、前記現在の色域モードにおける前記画素の青色成分に対して非リニア補正を行う第１補正サブモジュールを備え、
前記予め設定された式は、
ＣｌＢが第１設定値よりも大きければ、ＣｓＢ＝（１＋ａ）・ＣｌＢ１／ｘ；および
ＣｌＢが前記第１設定値以下であれば、ＣｓＢ＝ｂ・ＣｌＢ；を含み、
ここで、ＣｌＢは、前記現在の色域モードにおける前記画素の青色成分であり、０≦ＣｌＢ≦１であって；
ＣｓＢは、前記予め設定された色域モードにおける前記画素の青色成分であり、０≦ＣｓＢ≦１であって；
ａは第１設定非リニア補正値であり、ｂは第２設定非リニア補正値であり；
ｘは、前記非リニア補正における第１ガンマ値である、としてもよい。
【００１２】
また、前記制御モジュールは、前記予め設定された色域モードにおいて前記画素の青色成分ＣｓＢが、前記第１設定値よりも大きければ、前記第１設定非リニア補正値ａを略ゼロとする、ようにしてもよい。
【００１３】
また、前記変換モジュールは、前記予め設定された色域モードにおける前記画素の赤色成分および緑色成分を取得するように、予め設定された式にしたがって、前記現在の色域モードにおける前記画素の赤色成分および緑色成分のそれぞれに対して非リニア補正を行う第２補正サブモジュールを備え、
前記予め設定された式は、
ＣｌＲＧが前記第１設定値よりも大きければ、ＣｓＲＧ＝（１＋ａ’）・ＣｌＲＧ１／ｙ；および
ＣｌＲＧが前記第１設定値以下であれば、ＣｓＲＧ＝ｂ’・ＣｌＲＧ；を含み、
ここで、ＣｌＲＧは、前記現在の色域モードにおける前記画素の赤色成分または緑色成分であり、０≦ＣｌＲＧ≦１であって；
ＣｓＲＧは、前記予め設定された色域モードにおける前記画素の赤色成分または緑色成分であり、０≦ＣｓＲＧ≦１であって；
ａ’は第３設定非リニア補正値であり、ｂ’は第４設定非リニア補正値であり；
ｙは、前記非リニア補正における第２ガンマ値であり、ｙ＜ｘである、としてもよい。
【００１４】
また、前記画素の３原色に対するマッピングパラメータを取得する第２取得モジュールと、
前記マッピングパラメータにしたがって、前記画素における現在の３原色を新たな３原色にマッピングするマッピングモジュールと、
前記新たな３原色によって画像を画面に表示する表示モジュールと、を備える、ようにしてもよい。
【００１５】
本開示の第３態様によれば、
プロセッサと、
前記プロセッサによって実行可能な指令を記憶するメモリと、を備え、
前記プロセッサは、
画素における現在の色域モードを取得するステップと、
予め設定された色域モードにおける前記画素の青色成分を取得するように、前記画素における前記現在の色域モードを前記予め設定された色域モードに変換するステップと、
前記予め設定された色域モードにおける前記画素の青色成分に対して弱化制御を行うステップと、を実行する、色彩調整装置を提供する。
【００１６】
本開示の第４態様によれば、
背面光源上に配置された下偏光板と、
前記下偏光板上に配置され、紫外線を取り除くまたは画素の青色成分を取り除くように構成され、あるいは、紫外線および画素の青色成分を取り除くように構成された光学フィルタと、
前記光学フィルタ上に配置された液晶層と、
前記液晶層上に配置された上偏光板と、を備える、液晶ディスプレイを提供する。
【００１７】
また、前記光学フィルタと前記下偏光板とが統合されている、ようにしてもよい。
【００１８】
本開示の技術的解決手段によれば、以下のような有利な効果を奏する。カラーマネジメントプロセスにおいて青色成分の制御が別に行われるため、青色成分の弱化を実現でき、画面ユーザの視力を保護できる。液晶ディスプレイに光学フィルタを追加することにより、追加的な電力消費およびさらなる構成を伴うことなく、紫外線および／または青色光を取り除くことができる。
【００１９】
上述した一般的な記述と以降の詳細な記載とは例示的なものであって、説明のためだけのものであり、これらの記載は本開示を限定するものではない。
【図面の簡単な説明】
【００２０】
添付の図面は、本明細書に取り込まれて本明細書の一部を構成し、記載とともに本開示に一致する態様を示し、本開示の原理を説明するのに役立つものである。
【図１】例示的な実施の形態にかかる液晶ディスプレイの模式図
【図２】例示的な実施の形態にかかる色彩調整方法を示すフローチャート
【図３】例示的な実施の形態にかかるガンマ補正曲線を示すグラフ
【図４】別の例示的な実施の形態にかかる色彩調整方法を示すフローチャート
【図５】例示的な実施の形態にかかる色彩調整装置のブロック図
【図６】例示的な実施の形態にかかる変換モジュールのブロック図
【図７】別の例示的な実施の形態にかかる変換モジュールのブロック図
【図８】別の例示的な実施の形態にかかる色彩調整装置のブロック図
【図９】例示的な実施の形態にかかる色彩調整のためのデバイスのブロック図
【発明を実施するための形態】
【００２１】
以下の記載および図面を参照すれば、本開示における実施の形態の態様および他の態様が明らかになる。これらの記載および図面において、本開示の実施の形態におけるいくつかの具体的なアプローチが提供されている。これらにより、本開示の実施の形態の原理を実行するいくつかの方法が示される。しかしながら、本開示の実施の形態は、それらによって限定されるものではない。代わりに、本開示の実施の形態は、特許請求の範囲に記載される本開示の精神および範囲内のすべての変形、修正および等価物を含むものである。
【００２２】
青色光の波長は可視波長に属し、ＲＧＢ色域における青色成分のチャンネルである。この波長の光の制御を行うことによって、視覚的体験に影響を及ぼすであろう。紫外線は不可視光線に属し、取り除いたとしても、表示効果には影響を与えないであろう。本開示においては、紫外線の強度および青色光の強度を減少させるように液晶ディスプレイの構造が改良され、これにより視力を保護するものである。
【００２３】
液晶ディスプレイの典型的な構造において、最下層が背面光源であり、２つの偏光層の間に液晶層が位置している。０から９０度の曲げ効果が得られるように、液晶分子は電圧により制御されて、これにより、様々な光透過率を実現している。
【００２４】
紫外線は表示効果に影響しないため、紫外線光学フィルタを直接構造設計に追加して、紫外線を取り除くようにしてもよい。
【００２５】
図１は、例示的な実施の形態にかかる液晶ディスプレイの模式図である。図１に示すように、液晶ディスプレイ１０は、下偏光板１２、液晶層１３、および上偏光板１４を背面光源１１上に備える。液晶層１３は下偏光板１２と上偏光板１４との間に位置している。液晶ディスプレイ１０は、液晶層１３と下偏光板１２との間に位置する光学フィルタ１５をさらに備える。
【００２６】
光学フィルタ１５は、紫外線を取り除く、または画素の青色成分を取り除くように構成されている。あるいは、光学フィルタ１５は、紫外線および画素の青色成分を取り除くように構成されている。
【００２７】
本開示において、紫外線および／または画素の青色成分は、光学フィルタを用いることにより弱めることができる。したがって、物理的実現によって追加的な電力消費を避けることができる。
【００２８】
あるいは、光学フィルタ１５と下偏光板１４が統合されてもよい。新たな層を追加すると、液晶ディスプレイの厚みが増す。しかしながら、製造工程を改善することにより、偏光機能と紫外線除去機能とを１つの偏光層にて実現できる。
【００２９】
本開示においては、色変換によっても画素の青色成分を減少させてもよい。青色光の制御を行うことによって視覚的体験に影響を及ぼすため、ソフトウェアを用いた制御はあらゆるモバイルデバイスに対してより適している。
【００３０】
図２は、例示的な実施の形態にかかる色彩調整方法のフローチャートである。図２に示すように、色彩制御方法は、以下のステップを含む端末にて使用される。
【００３１】
ステップＳ２１において、現在の画素の色域モードを取得する。
【００３２】
ステップＳ２２において、現在の画素の色域モードを予め設定された色域モードに変換して、予め設定された色域モードにおける画素の青色成分を得る。
【００３３】
ステップＳ２３において、予め設定された色域モードにて画素の青色成分に対して弱化制御を行う。
【００３４】
例えば、画像レンダリング工程においては、画素の色域モードをリニアＲＧＢ色域モードからｓＲＧＢ（標準色、赤、緑、青）色域モードに変換することが必要である。これにより、リニアＲＧＢ色域モードにおいて各色チャンネルに対して非リニア（ガンマ）補正を行うことができ、補正された青色成分に対して弱化制御を行うことができる。
【００３５】
本実施の形態においては、上述した色彩調整方法によって青色光を弱めることができ、画面ユーザの視力を保護することができる。加えて、状況に応じてユーザにより画面の色彩を調整する機能を開始または停止するようにしてもよい。これにより、柔軟かつ便利なユーザ体験を得ることができる。
【００３６】
あるいは、ステップＳ２２は以下のステップを含んでもよい。
予め設定された色域モードにおける画素の青色成分を得るために、予め設定された式にしたがって現在の色域モードにおける画素の青色成分に対して非リニア補正を行うステップであって、予め設定された式は、
ＣｌＢが第１設定値よりも大きければ、ＣｓＢ＝（１＋ａ）・ＣｌＢ１／ｘ；および
ＣｌＢが第１設定値以下であれば、ＣｓＢ＝ｂ・ＣｌＢ；を含む。
ここで、ＣｌＢは、現在の色域モードにおける画素の青色成分であり、０≦ＣｌＢ≦１であって；
ＣｓＢは、予め設定された色域モードにおける画素の青色成分であり、０≦ＣｓＢ≦１であって；
ａは第１設定非リニア補正値であり、ｂは第２設定非リニア補正値であり；
ｘは、非リニア補正における第１ガンマ値である。
【００３７】
例えば、リニアＲＧＢ色域モードにおける青色成分の範囲は［０，１］である。リニアＲＧＢ色域モードにおいて画素の青色成分に対してガンマ２．２補正（すなわち、ｘ＝２．２）が行われる。
ＣｌＢ≦０．００３０４であれば、ＣｓＢ＝１２．９２・ＣｌＢ；および
ＣｌＢ＞０．００３０４であれば、ＣｓＢ＝（１＋０．０５５）・ＣｌＢ１／２．２；
ここで、ガンマ２．２補正後のＣｓＢの範囲は「０，１」である。
【００３８】
あるいは、ステップＳ２３は以下ステップを含んでもよい。
予め設定された色域モードにおける画素の青色成分ＣｓＢが、第１設定値よりも大きければ、第１設定非リニア補正値ａを略ゼロとする。
【００３９】
例えば、ユーザが眼の保護モードを開始したとき、青色チャンネルに対して特別な工程が行われ、第１設定非リニア補正値ａを略ゼロ（ａ≒０）とすることにより、青色成分が弱められる。これにより、青色光の弱化効果が実現される。
【００４０】
あるいは、色彩調整方法はさらに以下のステップを含んでもよい。
予め設定された色域モードにおける画素の赤色成分および緑色成分を得るために、予め設定された式にしたがって、現在の色域モードにおける画素の赤色成分および緑色成分のそれぞれに対して非リニア補正を行うステップであって、予め設定された式は、
ＣｌＲＧが第１設定値よりも大きければ、ＣｓＲＧ＝（１＋ａ’）・ＣｌＲＧ１／ｙ；および
ＣｌＲＧが第１設定値以下であれば、ＣｓＲＧ＝ｂ’・ＣｌＲＧ；を含む。
ここで、ＣｌＲＧは、現在の色域モードにおける画素の赤色成分または緑色成分であり、０≦ＣｌＲＧ≦１であって；
ＣｓＲＧは、予め設定された色域モードにおける画素の赤色成分または緑色成分であり、０≦ＣｓＲＧ≦１であって；
ａ’は第３設定非リニア補正値であり、ｂ’は第４設定非リニア補正値であり；
ｙは、非リニア補正における第２ガンマ値であり、ｙ＜ｘである。
【００４１】
例えば、赤色成分および緑色成分に対してのみ、ガンマ２．２補正が行われてもよい。青色成分に対してガンマ２．４補正またはガンマ２．６補正が別々に行われる。
【００４２】
図３に示すように、ガンマ補正曲線によれば、代替的に、赤色成分、緑色成分、および青色成分に対して、異なるガンマ補正をそれぞれ行うことによって、青色光の弱化を実現してもよい。
【００４３】
上述した方法においては、Ｂカラーチャンネルの弱化によって青色光を減少させることを実現している。加えて、３原色であるＲ、Ｇ、およびＢを異なる比率にすることで画素の色が形成される。そのため、新たな３原色を用いることにより、すなわち、３原色Ｒ、Ｇ、およびＢを、新たな３原色であるＣ（シアン）、Ｍ（マジェンタ）、およびＹ（イエロー）の座標系にマッピングさせることにより、色の混合が実現される。これにより、青色光により眼に対するダメージを抑制することができる。
【００４４】
図４は、別の例示的な実施の形態にかかる色彩調整方法のフローチャートである。図４に示すように、色彩調整方法は、代替的に、以下のステップを含む。
【００４５】
ステップＳ４１において、画素の３原色のマッピングパラメータを取得する。
【００４６】
ステップＳ４２において、マッピングパラメータにしたがって、画素の３原色が新たな３原色にマッピングされる。
【００４７】
ステップＳ４３において、新たな３原色によって画像が画面に表示される。
【００４８】
例えば、画素の３原色は、次の式（数１）にしたがってマッピングされてもよい。
【数１】
0006279105.tif 000002
【００４９】
代替的な方法においては、画素の３原色に対して制御を行うことで、青色光を減少させる。
【００５０】
図５は、例示的な実施の形態にかかる色彩調整装置のブロック図である。図５に示すように、色彩調整装置は、第１取得モジュール５１と、変換モジュール５２と、制御モジュール５３とを備える。
【００５１】
第１取得モジュール５１は、画素における現在の色域モードを取得するように構成されている。
【００５２】
変換モジュール５２は、画素の現在の色域モードを予め設定された色域モードに変換して、予め設定された色域モードにおける画素の青色成分を得るように構成されている。
【００５３】
制御モジュール５３は、予め設定された色域モードにおける画素の青色成分に対する弱化制御を行うように構成されている。
【００５４】
図６は、例示的な実施の形態にかかる変換モジュールのブロック図である。図６に示すように、変換モジュール５２は、代替的に、第１補正サブモジュール６１を備える。
【００５５】
第１補正サブモジュール６１は、予め設定された色域モードにおける画素の青色成分を得るために、予め設定された式にしたがって現在の色域モードにおける画素の青色成分に対して非リニア補正を行うように構成され、予め設定された式は、
ＣｌＢが第１設定値よりも大きければ、ＣｓＢ＝（１＋ａ）・ＣｌＢ１／ｘ；および
ＣｌＢが第１設定値以下であれば、ＣｓＢ＝ｂ・ＣｌＢ；を含む。
ここで、ＣｌＢは、現在の色域モードにおける画素の青色成分であり、０≦ＣｌＢ≦１であって；
ＣｓＢは、予め設定された色域モードにおける画素の青色成分であり、０≦ＣｓＢ≦１であって；
ａは第１設定非リニア補正値であり、ｂは第２設定非リニア補正値であり；
ｘは、非リニア補正における第１ガンマ値である。
【００５６】
あるいは、制御モジュール５３は、予め設定された色域モードにおいて画素の青色成分ＣｓＢが、第１設定値よりも大きければ、第１設定非リニア補正値ａを略ゼロとするように構成される。
【００５７】
図７は、別の例示的な実施の形態にかかる変換モジュールのブロック図である。図７に示すように、変換モジュール５２は、代替的に、第２補正サブモジュール６２を備える。
【００５８】
第２補正サブモジュール６２は、予め設定された色域モードにおける画素の赤色成分および緑色成分を得るために、予め設定された式にしたがって、現在の色域モードにおける画素の赤色成分および緑色成分のそれぞれに対して非リニア補正を行うように構成され、予め設定された式は、
ＣｌＲＧが第１設定値よりも大きければ、ＣｓＲＧ＝（１＋ａ’）・ＣｌＲＧ１／ｙ；および
ＣｌＲＧが第１設定値以下であれば、ＣｓＲＧ＝ｂ’・ＣｌＲＧ；を含む。
ここで、ＣｌＲＧは、現在の色域モードにおける画素の赤色成分または緑色成分であり、０≦ＣｌＲＧ≦１であって；
ＣｓＲＧは、予め設定された色域モードにおける画素の赤色成分または緑色成分であり、０≦ＣｓＲＧ≦１であって；
ａ’は第３設定非リニア補正値であり、ｂ’は第４設定非リニア補正値であり；
ｙは、非リニア補正における第２ガンマ値であり、ｙ＜ｘである。
【００５９】
図８は、別の例示的な実施の形態にかかる色彩調整装置のブロック図である。図８に示すように、色彩調整装置は、代替的に、第２取得モジュール８１と、マッピングモジュール８２と、表示モジュール８３とを備えている。
【００６０】
第２取得モジュール８１は、画素の３原色に対するマッピングパラメータを取得するように構成されている。
【００６１】
マッピングモジュール８２は、マッピングパラメータにしたがって、画素における現在の３原色を新たな３原色にマッピングするように構成されている。
【００６２】
表示モジュール８３は、新たな３原色によって画像を画面に表示するように構成されている。
【００６３】
上述の実施の形態における装置に関して、個々のモジュールの具体的な動作については、方法に関する実施の形態の中で詳細に説明を行ったため、ここでは詳述しない。
【００６４】
本開示は、また、プロセッサと、プロセッサによって実行可能な指令を記憶するメモリとを備える色彩調整装置を提供する。
【００６５】
プロセッサは、画素における現在の色域モードを取得し、予め設定された色域モードにおける画素の青色成分を取得するために、画素における現在の色域モードを予め設定された色域モードに変換し、予め設定された色域モードにおける画素の青色成分に対して弱化制御を行うように構成されている。
【００６６】
図９は、例示的な実施の形態にかかる色彩調整を行うデバイスのブロック図である。例えば、デバイス１３００は、モバイルフォン、コンピュータ、デジタル放送端末、メッセージデバイス、ゲーム機、タブレット、医療デバイス、エクソサイズ機器、携帯情報端末などであってもよい。
【００６７】
図９に示すように、デバイス１３００は、１または複数の構成部を備えており、処理部１３０２、メモリ１３０４、電源部１３０６、マルチメディア部１３０８、音声部１３１０、入出力（Ｉ／Ｏ）インターフェース１３１２、センサ部１３１４、および、通信部１３１６を備える。
【００６８】
処理部１３０２は、主として、デバイス１３００の全体的な動作、例えば、画面、電話、データ通信、カメラ動作、および記憶動作を制御する。処理部１３０２は、上述した方法において全てまたは一部のステップを行う指令を実行する１または複数のプロセッサ１３２０を含んでもよい。また、処理部１３０２は、処理部１３０２と他の構成部との間の相互作用を容易にするような１または複数のモジュールを含んでもよい。例えば、処理部１３０２は、マルチメディア部１３０８と処理部１３０２との間の相互作用を促させるマルチメディアモジュールを含んでもよい。
【００６９】
メモリ１３０４は、デバイス１３００の動作を支援する様々な種類のデータを記憶する。そのようなデータの例としては、デバイス１３００を動作させるアプリケーションや方法のための指令、連絡先データ、電話帳データ、メッセージ、画像、動画などが含まれる。メモリ１３０４は、あらゆる種類の揮発性もしくは不揮発性メモリ装置、または、それらの組み合わせを用いることによって構成されてもよい。例えば、スタティックＲＡＭ（ＳＲＡＭ）、電気的消去可能ＰＲＯＭ（ＥＥＰＲＯＭ）、消去可能ＰＲＯＭ（ＥＰＲＯＭ）、プログラム可能型読み取り専用メモリ（ＰＲＯＭ）、読み取り専用メモリ（ＲＯＭ）、磁気メモリ、フラッシュメモリ、磁気もしくは光学ディスクであってもよい。
【００７０】
電源部１３０６は、デバイス１３００の様々な構成部へ電力を供給する。電源部１３０６は、パワーマネジメントシステム、１または複数の電源、および、デバイス１３００の電源、パワーマネジメント、電力分配に関係するその他の構成要素を含んでもよい。
【００７１】
マルチメディア部１３０８は、デバイス１３００とユーザとの間の出力インターフェースを提供する画面を含む。いくつかの実施の形態では、画面は、液晶画面（ＬＣＤ）およびタッチパネル（ＴＰ）を含んでもよい。画面がタッチパネルを含む場合には、画面はユーザからの入力信号を受け取るタッチ画面となる。タッチパネルは、タッチパネルにおけるタッチ、スワイプ、およびジェスチャーを感知する１または複数のタッチセンサを備える。タッチセンサは、タッチやスワイプ操作の境界を感知するたけでなく、タッチやスワイプ操作に関係した操作時間および圧力を感知してもよい。いくつかの実施の形態において、マルチメディア部１３０８は、フロントカメラおよび／またはリアカメラを備える。デバイス１３００が、撮像モードや動画モードなどオペレーションモードにある場合に、フロントカメラおよびリアカメラは外部マルチメディアデータを受け取ってもよい。フロントカメラおよびリアカメラのそれぞれは、固定光学レンズシステムであってもよく、また、ピント機能および光学ズーム機能を有していてもよい。
【００７２】
音声部１３１０は、音声信号を出力および／または入力する。例えば、音声部１３１０は、デバイス１３００が、電話モード、録音モード、および音声認識モードのようなオペレーションモードにある場合に、外部音声信号を受け取るマイク（ＭＩＣ）を備える。受信した音声信号は、メモリ１３０４に記憶される、または、通信部１３１６を通じて伝送される。いくつかの実施の形態では、音声部１３１０は、音声信号を出力するスピーカをさらに備える。
【００７３】
Ｉ／Ｏインターフェース１３１２は、処理部１３０２と周囲のインターフェースモジュールとの間のインターフェースとして、例えば、キーボード、クリックホイール、およびボタンなどとのインターフェースを提供する。ボタンとしては、限定されないが、ホームボタン、ボリュームボタン、スタートボタン、およびロックボタンを含んでもよい。
【００７４】
センサ部１３１４は、デバイス１３００の様々な態様の状態評価を提供するような１または複数のセンサを含む。例えば、センサ部１３１４は、デバイス１３００のオープン／クローズド状態、デバイス１３００の構成部、例えば、画面とキーボードの相対位置、デバイス１３００自体またはデバイス１３００の構成部の位置変化、デバイス１３００へのユーザコンタクトの有無、デバイス１３００の向きや加速度／減速度、およびデバイス１３００の温度変化を検出してもよい。センサ部１３１４は、物理的接触無しで近くの対象物の存在を検出するような近接センサを含んでもよい。センサ部１３１４は、画像アプリケーションに用いられるＣＭＯＳやＣＣＤなどの光センサを含んでもよい。いくつかの実施の形態では、センサ部１３１４は、加速度センサ、ジャイロセンサ、磁気センサ、圧力センサ、または温度センサを含んでもよい。
【００７５】
通信部１３１６は、デバイス１３００と他の装置との間の有線または無線の通信を行う。デバイス１３００は、例えば、ＷｉＦｉ、２Ｇ、もしくは３Ｇ、または、それらの組み合わせのような通信規格に基づく無線ネットワークにアクセスすることができる。１つの例示的な実施の形態において、通信部１３１６は、放送チャンネルを通じて、外部放送マネジメントシステムから放送信号または放送関連情報を受信する。１つの例示的な実施の形態において、通信部１３１６は、近距離の通信に役立つ近距離無線通信（ＮＦＣ）モジュールを含む。例えば、ＮＦＣモジュールは、無線自動識別（ＲＦＩＤ）技術、赤外線通信規格（ＩｒＤＡ）技術、超広域帯（ＵＷＢ）技術、ブルートゥース（ＢＴ）技術、および他の技術に基づくようなものであってもよい。
【００７６】
例示的な実施の形態において、デバイス１３００は、上述した方法を実行するための、特定用途向け集積回路（ＡＳＩＣｓ）、デジタル・シグナル・プロセッサ（ＤＳＰｓ）、デジタル・シグナル処理装置（ＤＳＰＤｓ）、プログラム可能論理回路（ＰＬＤｓ）、フィールド・プログラマブル・ゲート・アレイ（ＦＰＧＡｓ）、コントローラ、マイクロコントローラ、マイクロプロセッサ、または他の電子構成要素によって構成されてもよい。
【００７７】
例示的な実施の形態において、上述の方法を実行するために、一時的でないコンピュータ読み取り可能記憶媒体、例えばメモリ１３０４は、デバイス１３００のプロセッサ１３２０によって実行可能な指令を含む。例えば、一時的でないコンピュータ読み取り可能記憶媒体は、ＲＯＭ、ＲＡＭ、ＣＤ−ＲＯＭ、磁気テープ、磁気ディスク、光学データ記憶装置などであってもよい。
【００７８】
一時的でないコンピュータ読み取り可能記憶媒体は、モバイル端末において上述の方法を実行するために、モバイル端末のプロセッサによって実行される指令を含んでもよい。
【００７９】
当業者にとっては、本発明の他の実施形態は、ここで開示された本発明の明細書及び実施態様から明らかである。本願は、本発明の一般的原則に従い、かつ当該技術分野において知られ、又は慣行的に実施されている範囲内での本開示からの逸脱を含む、本発明の変形、使用、又は適用をカバーすることを意図している。明細書及び実施例は、例示的なもののみが考慮されているが、本発明の真の範囲及び精神は、以下の特許請求の範囲によって示されることが意図されている。
【００８０】
本発明は、上述され、かつ添付の図面に示された厳密な構成に限定されるものではなく、本発明の範囲から逸脱することなく様々な修正及び変更が可能であることは明らかである。本発明の範囲は、添付の特許請求の範囲によってのみ限定されることが意図されている。
【図１】
0006279105.tif 000003
【図２】
0006279105.tif 000004
【図３】
0006279105.tif 000005
【図４】
0006279105.tif 000006
【図５】
0006279105.tif 000007
【図６】
0006279105.tif 000008
【図７】
0006279105.tif 000009
【図８】
0006279105.tif 000010
【図９】
0006279105.tif 000011